【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
直流電源の両端子間に接続され、制御手段から与えられる制御信号によりそれぞれオンオフする第１のスイッチング手段と第２のスイッチング手段との第１の直列接続体、
前記第１の直列接続体に並列に接続され、制御手段から与えられる制御信号によりそれぞれオンオフする第３のスイッチング手段と第４のスイッチング手段との第２の直列接続体、
少なくとも一対の入力電極と一対の出力電極とを有する圧電トランス、前記第１の直列接続体の各スイッチング手段の接続点と、前記第２の直列接続体の各スイッチング手段の接続点との間に接続されたインダクタと前記圧電トランスの一対の入力電極との第３の直列接続体、
前記圧電トランスの一対の出力電極間に接続された整流平滑手段、及び
前記第１及び第２のスイッチング手段を所定の時間比率で交互にオンオフし、かつ前記第３及び第４のスイッチング手段を前記第１及び第２のスイッチング手段と同一のスイッチング周波数かつ同一の時間比率で交互にオンオフするそれぞれの制御信号を作成する制御信号作成手段と、前記整流平滑手段の直流出力電圧に応じて、前記直流出力電圧が所定の電圧になるよう前記第１及び第２のスイッチング手段に与える制御信号の位相と、前記第３及び第４のスイッチング手段に与える制御信号の位相とを変化させる制御信号付与手段とを有する制御手段
を備えることを特徴とする電源装置。
【請求項２】
直流電源の両端子間に接続され、制御手段から与えられる制御信号によりそれぞれオンオフする第１のスイッチング手段と第２のスイッチング手段との第１の直列接続体、
前記第１の直列接続体に並列に接続され、制御手段から与えられる制御信号によりそれぞれオンオフする第３のスイッチング手段と第４のスイッチング手段との第２の直列接続体、
少なくとも一対の入力電極と一対の出力電極を有する圧電トランス、前記第１の直列接続体の各スイッチング手段の接続点と、前記第２の直列接続体の各スイッチング手段の接続点との間に接続された第１のインダクタと前記圧電トランスの一対の入力電極との第３の直列接続体、
前記第１のスイッチング手段または第２のスイッチング手段の一方に並列に接続された第２のインダクタと第１のコンデンサの直列接続体、
前記第３のスイッチング手段または第４のスイッチング手段の一方に並列に接続された第３のインダクタと第２のコンデンサの直列接続体、
前記圧電トランスの一対の出力電極間に接続された整流平滑手段、及び
前記第１及び第２のスイッチング手段を所定の時間比率で交互にオンオフし、前記第３及び第４のスイッチング手段を前記第１及び第２のスイッチング手段と同一のスイッチング周波数かつ同一の時間比率で交互にオンオフするそれぞれの制御信号を作成する制御信号作成手段と、前記整流平滑手段の直流出力電圧に応じて、前記直流出力電圧が所定の電圧になるよう前記第１及び第２のスイッチング手段に与える制御信号の位相と、前記第３及び第４のスイッチング手段に与える制御信号の位相とを変化させる制御信号付与手段とを有する制御手段
を備えることを特徴とする電源装置。
【請求項３】
直流電源の両端子間に接続され、制御手段から与えられる制御信号によりそれぞれオンオフする第１のスイッチング手段と第２のスイッチング手段の第１の直列接続体、
前記第１の直列接続体に並列に接続され、制御手段から与えられる制御信号によりそれぞれオンオフする第３のスイッチング手段と第４のスイッチング手段の第２の直列接続体、
少なくとも一対の入力電極と一対の出力電極を有する圧電トランス、前記第１直列接続体の各スイッチング手段の接続点と、前記第２の直列接続体の各スイッチング手段の接続点との間に接続した、インダクタと前記圧電トランスの一対の入力電極との第３の直列接続体、
前記圧電トランスの一対の出力電極間に接続された整流平滑手段、及び
前記第１及び第２のスイッチング手段を所定の時間比率で交互にオンオフし、前記第３及び第４のスイッチング手段を前記第１及び第２のスイッチング手段と同一のスイッチング周波数かつ同一時間比率で交互にオンオフするそれぞれの制御信号を作成する制御信号作成手段と、前記整流平滑手段の直流出力電圧に応じて、前記直流出力電圧が所定の電圧になるよう前記第１及び第２のスイッチング手段をオンオフする位相と、前記第３及び第４のスイッチング手段をオンオフする位相とを変化させる制御信号付与手段とを有する制御手段を備え、
前記整流平滑手段は、
前記圧電トランスの出力電極にそれぞれ並列に接続されたソース端子が互いに接続された第１のＮ型ＭＯＳＦＥＴと第２のＮ型ＭＯＳＦＥＴとの第１の直列回路、及びソース端子が互いに接続された第１のＰ型ＭＯＳＦＥＴと第２のＰ型ＭＯＳＦＥＴとの第２の直列回路と、
前記第１のＮ型ＭＯＳＦＥＴと前記第１のＰ型ＭＯＳＦＥＴのゲート端子を前記圧電トランスの出力電極の一方に接続し、前記第２のＰ型ＭＯＳＦＥＴと前記第２のＮ型ＭＯＳＦＥＴのゲート端子を前記圧電トランスの出力電極の他方に接続し、
前記第１及び第２の直列回路の各ＭＯＳＦＥＴのソース端子間にそれぞれ並列に接続されたダイオード及び平滑回路とを有する
ことを特徴とする電源装置。
【請求項４】
前記交互に所定の時間比率でオンオフするスイッチング手段のスイッチング周波数は、前記圧電トランスの共振周波数の近傍で、且つ前記第３の直列接続体の共振周波数よりも高い値に設定することを特徴とする請求項１、２または３に記載の電源装置。
【請求項５】
直流電源の両端子間に接続され、制御回路から与えられる制御信号によりそれぞれオンオフする第１のスイッチング手段と第２のスイッチング手段との第１の直列接続体、
前記第１の直列接続体に並列に接続され、制御回路から与えられる制御信号によりそれぞれオンオフする第３のスイッチング手段と第４のスイッチング手段との第２の直列接続体、
少なくとも一対の入力電極と一対の出力電極を有する圧電トランス、前記第１の直列接続体の各スイッチング手段の接続点と、前記第２の直列接続体の各スイッチング手段の接続点との間に接続された、第１のインダクタと前記圧電トランスの一対の入力電極との第３の直列接続体、
前記圧電トランスの一対の出力電極間に接続した整流平滑手段、及び
前記第１及び第２のスイッチング手段を交互にオンオフし、前記第３及び第４のスイッチング手段を前記第１及び第２のスイッチング手段と同一のスイッチング周波数でかつ１８０度の位相差で交互にオンオフするそれぞれの制御信号を作成する制御信号作成手段と、前記整流平滑手段の直流出力電圧に応じて、前記直流出力電圧が所定の電圧になるよう前記第１のスイッチング手段と第２のスイッチング手段のオンオフの時間比率と、前記第３のスイッチング手段と第４のスイッチング手段のオンオフの時間比率を同一の時間比率で変化させて制御信号を付与する制御信号付与手段とを有する制御手段
を備えることを特徴とする電源装置。
【請求項６】
前記各スイッチング手段のスイッチング周波数は、前記圧電トランスの共振周波数の近傍で、且つ前記第３の直列接続体の共振周波数よりも高い値に設定されていることを特徴とする請求項５記載の電源装置。
【請求項７】
前記第１のスイッチング手段または第２のスイッチング手段の一方に並列に接続した第２のインダクタと第１のコンデンサの直列回路、及び前記第３スイッチング手段または第４のスイッチング手段の一方に並列に接続した第３のインダクタと第２のコンデンサの直列回路を有することを特徴とする請求項５または６に記載の電源装置。
【請求項８】
前記整流平滑手段は、
前記圧電トランスの出力電極間にそれぞれ並列に接続された、ソース端子が互いに接続された第１及び第２のＮ型ＭＯＳＦＥＴの第１の直列回路及びソース端子が互いに接続された第１及び第２のＰ型ＭＯＳＦＥＴの第２の直列回路と、
前記第１のＮ型ＭＯＳＦＥＴと前記第１のＰ型ＭＯＳＦＥＴのゲート端子が前記圧電トランスの出力電極の一方に接続され、前記第２のＰ型ＭＯＳＦＥＴと前記第２のＮ型ＭＯＳＦＥＴのゲート端子が前記圧電トランスの出力電極の他方に接続され、
前記第１及び第２の直列回路の各ＭＯＳＦＥＴのソース端子間に接続されたダイオードと平滑回路とを有する
ことを特徴とする請求項５、６または７に記載の電源装置。
【請求項９】
直流電源の両端子間に接続され、制御手段から与えられる制御信号によりそれぞれオンオフする第１のスイッチング手段と第２のスイッチング手段との第１の直列接続体と、
前記第１の直列接続体に並列に接続され、制御手段から与えられる制御信号によりそれぞれオンオフする第３のスイッチング手段と第４のスイッチング手段との第２の直列接続体と、
少なくとも一対の入力電極と一対の出力電極とを有する圧電トランスと、
前記第１の直列接続体の各スイッチング手段の接続点と、前記第２の直列接続体の各スイッチング手段の接続点との間に接続されたインダクタと前記圧電トランスの一対の入力電極との第３の直列接続体と、
前記第１及び第２のスイッチング手段を所定の時間比率で交互にオンオフし、かつ前記第３及び第４のスイッチング手段を前記第１及び第２のスイッチング手段と同一のスイッチング周波数かつ同一の時間比率で交互にオンオフするそれぞれの制御信号を作成する制御信号作成手段と、前記前記圧電トランスの出力電圧に応じて、前記圧電トランスの出力電圧が所定の電圧になるよう前記第１及び第２のスイッチング手段に与える制御信号の位相と、前記第３及び第４のスイッチング手段に与える制御信号の位相とを変化させる制御信号付与手段とを有する制御手段と
を備えることを特徴とする電源装置。
【請求項１０】
直流電源の両端子間に接続され、制御回路から与えられる制御信号によりそれぞれオンオフする第１のスイッチング手段と第２のスイッチング手段との第１の直列接続体と、
前記第１の直列接続体に並列に接続され、制御回路から与えられる制御信号によりそれぞれオンオフする第３のスイッチング手段と第４のスイッチング手段との第２の直列接続体と、
少なくとも一対の入力電極と一対の出力電極を有する圧電トランスと、
前記第１の直列接続体の各スイッチング手段の接続点と、前記第２の直列接続体の各スイッチング手段の接続点との間に接続された、第１のインダクタと前記圧電トランスの一対の入力電極との第３の直列接続体と、
前記第１及び第２のスイッチング手段を交互にオンオフし、前記第３及び第４のスイッチング手段を前記第１及び第２のスイッチング手段と同一のスイッチング周波数でかつ１８０度の位相差で交互にオンオフするそれぞれの制御信号を作成する制御信号作成手段と、前記圧電トランスの出力電圧に応じて、前記圧電トランスの出力電圧が所定の電圧になるよう前記第１のスイッチング手段と第２のスイッチング手段のオンオフの時間比率と、前記第３のスイッチング手段と第４のスイッチング手段のオンオフの時間比率を同一の時間比率で変化させて制御信号を付与する制御信号付与手段とを有する制御手段と
を備えることを特徴とする電源装置。
【請求項１１】
圧電体に入力電極及び出力電極が形成され、入力電極に入力された交流電圧を変化させて、出力電極から出力する圧電トランスの駆動方法であって、
少なくとも前記圧電トランスと、前記圧電トランスに直列に接続されたインダクタで構成された共振回路の一方の端子に第１の矩形波信号を入力し、
前記共振回路の他の端子には、前記第１の矩形波信号と同一の周波数かつ同一の時間比率を有する第２の矩形波信号を入力し、
前記圧電トランスの出力電圧を所定の電圧になるように、前記第１の矩形波信号と前記第２の矩形波信号との位相差を制御する
ことを特徴とする圧電トランスの駆動方法。
【請求項１２】
圧電体に入力電極及び出力電極が形成され、入力電極に入力された交流電圧を変化させて、出力電極から出力する圧電トランスの駆動方法であって、
少なくとも前記圧電トランスと、前記圧電トランスに直列に接続されたインダクタで構成された共振回路の一方の端子に第１の矩形波信号を入力し、
前記共振回路の他の端子には、前記第１の矩形波信号と同一の周波数かつ１８０度位相の異なる第２の矩形波信号を入力し、
前記圧電トランスの出力電圧を所定の電圧になるように、前記第１の矩形波信号と前記第２の矩形波信号とのオン・オフの時間比率を制御する
ことを特徴とする圧電トランスの駆動方法。